(57)【要約】【課題】簡単な構成で外気温度を参照した給湯温度の補正を実現する構成を提供すること。【解決手段】貯湯タンク内の湯水を加熱手段で加熱し、該貯湯タンク内に湯を貯留する沸上運転手段と、貯湯タンクより取り出した湯と給水管よりの水を混合して、給湯先に湯水を供給する給湯手段と、給湯手段により供給する湯水の温度を設定する給湯温度設定手段と、インターネットから、今後の外気温度の予測情報を取得する予測外気温取得手段と、加熱手段を制御する制御部と、を備え、制御部は、予測外気温取得手段で取得した当日の予測外気温度が予め設定された所定温度よりも高い場合は、給湯手段で供給する湯水の温度を、給湯温度設定手段で設定された設定温度よりも低くするとともに、翌日の予測外気温度が所定温度以下の場合よりも沸上運転手段で貯湯タンクに貯留する湯の熱量を低くする。【選択図】図４
2020112352.tif 000002
【特許請求の範囲】
【請求項１】
貯湯タンク内の湯水を加熱手段で加熱し、該貯湯タンク内に湯を貯留する沸上運転手段と、
前記貯湯タンクより取り出した湯と給水管よりの水を混合して、給湯先に湯水を供給する給湯手段と、
前記給湯手段により供給する湯水の温度を設定する給湯温度設定手段と、
インターネットから、今後の外気温度の予測情報を取得する予測外気温取得手段と、
前記加熱手段を制御する制御部と、
を備え、
前記制御部は、前記予測外気温取得手段で取得した当日の予測外気温度が予め設定された所定温度よりも高い場合は、前記給湯手段で供給する湯水の温度を、前記給湯温度設定手段で設定された設定温度よりも低くするとともに、
前記翌日の予測外気温度が前記所定温度以下の場合よりも前記沸上運転手段で前記貯湯タンクに貯留する湯の熱量を低くすることを特徴とする貯湯式給湯機。
【請求項２】
前記貯湯式給湯機の運転状態を表示する表示部と、
を備え、
前記制御部は、前記給湯手段で供給する湯水の温度が、前記給湯温度設定手段で設定された設定温度よりも低い場合は、前記表示部にその旨を表示させることを特徴とする請求項１に記載の貯湯式給湯機。
【請求項３】
前記給湯手段で供給する湯水の温度を、前記給湯温度設定手段で設定された設定温度よりも低くするか否かを選択する、選択手段を備えることを特徴とする請求項１または２に記載の貯湯式給湯機。
【請求項４】
前記給湯手段で供給する湯水の温度を前記給湯温度設定手段で設定された設定温度よりも低くする際の温度低下値を、使用者が設定可能な低下温度設定手段を備えることを特徴とする請求項１から３のいずれか１つに記載の貯湯式給湯機。
【請求項５】
前記制御部は、前記給湯手段で供給する湯水の温度を前記給湯温度設定手段で設定された設定温度よりも低くする設定を解除したとき、
前記沸上運転手段を動作させることを特徴とする請求項３又は４のいずれか１つに記載の貯湯式給湯機。
【発明の詳細な説明】
【技術分野】
【０００１】
本発明は、貯湯式給湯機に関するものである。
【背景技術】
【０００２】
従来、電気給湯機には、ホームネットワークシステムによりエアコン室外機とデータを共有化し、このエアコン室外機の外気温度センサの測定温度が任意の温度より低い場合に湯張り温度を設定温度より高く補正するとともに、この測定温度が任意の温度より高い場合に湯張り温度を設定温度より低く補正する温度補正回路を設けたものがある。（例えば、特許文献１）。
【先行技術文献】
【特許文献】
【０００３】
【特許文献１】特開２００６−９７９２５号公報
【発明の概要】
【発明が解決しようとする課題】
【０００４】
しかしながら、特許文献１のような電気給湯機では、外気温度による湯張り温度の補正のために、エアコン室外機など他の機器と電気給湯機とを間接的に接続し情報をやり取りするホームネットワークシステムを構築する必要があり、コストや手間がかかるという問題点があった。
【０００５】
また、外気温度センサの測定温度が任意の温度より低い場合に湯張り温度を設定温度より高く補正するため、使用者によっては、湯が熱いと不快に感じてしまうことがあるという問題点があった。
【０００６】
本発明は、上記のような問題点を解決するもので、簡単な構成で外気温度を参照した給湯温度の補正を実現する構成を提供することを目的とする。
【課題を解決するための手段】
【０００７】
本発明の貯湯式給湯機は、
貯湯タンク内の湯水を加熱手段で加熱し、貯湯タンク内に湯を貯留する沸上運転手段と、貯湯タンクより取り出した湯と給水管よりの水を混合して、給湯先に湯水を供給する給湯手段と、給湯手段により供給する湯水の温度を設定する給湯温度設定手段と、インターネットから、今後の外気温度の予測情報を取得する予測外気温取得手段と、加熱手段を制御する制御部と、を備え、制御部は、予測外気温取得手段で取得した当日の予測外気温度が予め設定された所定温度よりも高い場合は、給湯手段で供給する湯水の温度を、給湯温度設定手段で設定された設定温度よりも低くするとともに、翌日の予測外気温度が所定温度以下の場合よりも沸上運転手段で貯湯タンクに貯留する湯の熱量を低くするものである。
【発明の効果】
【０００８】
本発明にによれば、簡単な構成で外気温度を参照した給湯温度の補正を実現する構成を提供するとともに、省エネ性を向上させることができる。
【図面の簡単な説明】
【０００９】
【図１】本発明の実施の形態１の貯湯式給湯機の構成図である。
【図２】本発明の実施の形態１の貯湯式給湯機の制御フローチャートである。
【図３】本発明の実施の形態２の貯湯式給湯機の構成図である。
【図４】本発明の実施の形態２の貯湯式給湯機の制御フローチャートである。
【図５】本発明の実施の形態２のリモコンの構成図である。
【発明を実施するための形態】
【００１０】
以下、図面を参照して、本発明の実施の形態について説明する。尚、各図において同一または相当する要素には、同一の符号を付して、重複する説明を省略する。
【００１１】
実施の形態１．
以下、本発明の実施の形態１を図に基づいて説明する。図１は本発明の実施の形態１における貯湯式給湯機の構成図である。
【００１２】
図１において、貯湯タンク１は加熱循環回路３で加熱手段であるヒートポンプユニット２と接続されている。
ヒートポンプユニット２内には圧縮機、給湯用熱交換器、膨張弁、空気熱交換器を順次冷媒配管（いずれも図示を省略）で接続した冷凍サイクルシステムが備えられている。加熱循環回路３は貯湯タンク１の上下部をヒートポンプユニット２に接続し、貯湯タンク１の下部とヒートポンプユニット２とを接続している配管部分にはＨＰ循環ポンプ４が設けられ、貯湯タンク１の下部から取り出した水をヒートポンプユニット２内に導き、ヒートポンプユニット２内で高温の湯に沸上げて貯湯タンク１の上部に戻している。ここで、沸上げは一般的に深夜電力時間帯を中心に翌日のお湯の使用分をタンクに貯湯するように実施する。
【００１３】
貯湯タンク１の外周には、貯湯タンク１の上部から貯湯タンクの容積の０Ｌ、５０Ｌ、１００Ｌ、１５０Ｌの位置に第１〜第４の温度センサ５ａ〜５ｄが設けられているとともに、加熱循環回路３の貯湯タンク１下部と接続する側にも第５の温度センサ５ｅが設けられ、第１〜第５の温度センサ５ａ〜５ｅは貯湯タンク１内の残湯熱量を検出する残湯熱量検出手段として機能し、その位置の湯の温度を検知する。貯湯タンク温度センサ６は貯湯タンク１の上部に設けられ、ヒートポンプユニット２によって加熱されて貯湯タンク１の上部に戻される湯の温度を検知する。
【００１４】
一般給湯側電動混合弁７は、貯湯タンク１の上部に接続された給湯管８からの高温湯と水道管等の水源に接続された給水管９からの水を適温に混合し、混合給湯管１０を経由して蛇口等に適温の湯を供給する。
【００１５】
給水管９には、給水温度センサ２３が設けられ、給水管９を流れる水の温度を検知し、混合給湯管１０には、給湯用流量センサ１９と給湯用温度センサ２０が設けられ、混合給湯管１０を流れる湯の流量と温度を検知する。
【００１６】
風呂給湯側電動混合弁１１は、貯湯タンク１の上部に接続された給湯管８からの高温湯と水道管等の水源に接続された給水管９からの水を適温に混合し、混合風呂管１８、風呂側循環回路１２を経由して浴槽に適温の湯を供給し、適量となったところで電磁弁１３により供給を停止し湯張りを行う。
【００１７】
混合風呂管１８には、風呂用流量センサ２１と風呂用温度センサ２２が設けられ、混合風呂管１８を流れる湯の流量と温度を検知する。
【００１８】
風呂側循環回路１２は、風呂循環ポンプ１４により浴槽から浴水を引き込み、熱交換器１５を経由して浴槽に戻る経路である。また、タンク側循環回路１６は、貯湯タンク１の上部からタンク内の湯をタンク循環ポンプ１７で引き込み、熱交換器１５を経由して貯湯タンク１の下部に繋がる経路である。ここで、風呂循環ポンプ１４により風呂側循環回路１２に浴槽から引き込まれた浴水は、タンク循環ポンプ１７によりタンク側循環回路１６に貯湯タンク１の上部から引き込まれた高温湯と、熱交換器１５を介して熱交換されて浴槽に戻り、浴水が適温となったところで風呂循環ポンプ１４とタンク循環ポンプ１７の動作を停止し追い焚きを行う。
【００１９】
制御部２４は、ヒートポンプユニット２、ＨＰ循環ポンプ４、第１〜第５の温度センサ５ａ〜５ｅ、貯湯タンク温度センサ６、一般給湯側電動混合弁７、風呂給湯側電動混合弁１１、電磁弁１３、風呂循環ポンプ１４、タンク循環ポンプ１７、給湯用流量センサ１９、給湯用温度センサ２０、風呂用流量センサ２１、風呂用温度センサ２２、給水温度センサ２３、リモコン２５と電気的に接続されており、各々の動作を制御している。
【００２０】
制御部２４には、使用熱量算出手段２４ａと、目標熱量算出手段２４ｂと、補正熱量算出手段２４ｃが設けられている。使用熱量算出手段２４ａは、所定期間内に貯湯タンク１から給湯した給湯量から所定期間内に使用した熱量を算出し、目標熱量算出手段２４ｂは、使用熱量算出手段２４ａによって算出された所定期間内に使用した熱量から目標熱量を算出し、補正熱量算出手段２４ｃは、目標熱量算出手段２４ｂによって算出された目標熱量から所定の熱量を補正して補正熱量を算出する。
【００２１】
ヒートポンプユニット２には、外気温センサ２７が設けられており、外気温センサ２７により検知した外気温を制御部２４に伝達する。
【００２２】
制御部２４は、深夜時間帯終了時（例えば７時）に、補正熱量算出手段２４ｃによって算出される補正熱量を確保するように、ヒートポンプユニット２の加熱動作を行う（これを深夜時間帯沸上げと呼ぶ）。その際、深夜時間帯終了時から加熱動作に必要な時間を逆算し、加熱動作の開始時刻を算出する。ここで、深夜時間帯開始時から、加熱動作の開始時刻までをピークシフトと呼んでおり、ピークシフトを行うことによって、深夜時間帯開始時の需用電力の集中を抑制している。
【００２３】
また、制御部２４は、上記深夜時間帯沸上げ以外のときには、貯湯タンク１の貯湯量が、沸上げを開始する貯湯量である起動貯湯量（例えば、４２℃換算で３００Ｌ）を下回るとヒートポンプユニット２による沸上げ動作を開始し、その後、貯湯タンク１の貯湯量が、所定量（例えば、起動貯湯量＋５０Ｌ）を上回るとヒートポンプユニット２による沸上げ動作を停止する
【００２４】
次に、上記実施の形態１の貯湯式給湯機の動作を図２に基づいて説明する。図２は本発明の実施の形態１の貯湯式給湯機の制御動作のフローチャートである。
【００２５】
図２において、制御部２４は、使用者がリモコン２５操作により給湯設定温度を変更すると、変更した給湯設定温度を記憶する（ステップＳ３０）。
【００２６】
次に、制御部２４は、ヒートポンプユニット２に設けられた外気温センサ２７により検知した外気温を取得し記憶する（ステップＳ３１）。
【００２７】
次に、ステップＳ３１で記憶した外気温と予め設定された所定温度（例えば２５℃）とを比較し（ステップＳ３２）、外気温が所定温度より高い場合には、ステップＳ３０で記憶した給湯設定温度よりも低い値（例えば、給湯設定温度が４２℃の場合は４１℃）を給湯補正温度として記憶し（ステップＳ３３）、外気温が所定温度以下の場合には、給湯設定温度（例えば４２℃）を給湯補正温度として記憶する（ステップＳ３４）。
【００２８】
次に、使用者が蛇口等での給湯や、浴槽への湯張りを行うと（ステップＳ３５）、ステップＳ３３、又はステップＳ３４で記憶した給湯補正温度に基づいて、蛇口への給湯や、浴槽への湯張りを行う（ステップＳ３６）。
【００２９】
以上のように、本発明の実施の形態１によれば、ヒートポンプユニット２に設けられた外気温検出手段２７によって検出した外気温が所定温度よりも高い場合に、蛇口への給湯や、浴槽への湯張り温度を、給湯温度設定手段によって設定された設定温度よりも低くするようにしているため、他機器から外気温情報を取得する必要が無く、他機器とのネットワーク構築によるコストを抑制し、外気温が所定温度以下の場合でも、蛇口への給湯や、浴槽への湯張り温度を上げることなく、使用者の不快感を減らすと共に、外気温が所定温度よりも高い場合は、蛇口への給湯や、浴槽への湯張り温度を低くすることにより、省エネ性を向上させることができる。
【００３０】
また、ステップＳ３１で記憶した外気温と比較する所定温度については、使用者がリモコン２５の操作により給湯設定温度を変更したときの外気温を検出し、それに基づいて例えば、給湯設定温度を変更した時点での外気温としても良い。これにより、使用者が、その時の外気温に基づいて給湯設定温度を変更していれば、その時の外気温より高くなった場合に、給湯補正温度を下げるようになるので、使用者が給湯温度が低いと不快に感じることが少なくなる。
【００３１】
実施の形態２．
次に、本発明の実施の形態２を図に基づいて説明する。なお、構成に関しては前述の実施の形態１と同じであるため説明を省略する。また、共通する動作内容に関しては説明を省略する。
【００３２】
図３は本発明の実施の形態２の貯湯式給湯機の構成図であり、インターネットとの接続関係を示す概念図である。
【００３３】
図３において、貯湯式給湯機２６に設けられた制御部２４は、インターネットと接続されており、インターネットから天気予報や翌日の気温の情報などの各種情報を入手する事が可能となっている。
【００３４】
次に、実施の形態２の動作を図４に基づいて説明する。図４は本発明の実施の形態２の貯湯式給湯機の制御動作のフローチャートである。
【００３５】
図４において、制御部２４は、使用者がリモコン２５操作により給湯設定温度を変更すると、変更した給湯設定温度を記憶する（ステップＳ４０）。
【００３６】
次に、制御部２４は、インターネットの天気予報から翌日の予測外気温度の情報を取得し記憶する（ステップＳ４１）。
【００３７】
次に、制御部２４に設けられた使用熱量算出手段２４ａは給湯用流量センサ１９と給湯用温度センサ２０と給水温度センサ２３によって検出される流量と温度から給湯に使用した貯湯タンク１から出湯される熱量を算出するとともに、風呂用流量センサ２１と風呂用温度センサ２２と給水温度センサ２３とによって検出される流量と温度から風呂湯張りに使用した貯湯タンク１から出湯される熱量を算出しており、この算出した熱量の１日間の積算値をＱ＿ｄａｙ１（１日前の使用熱量の積算値），Ｑ＿ｄａｙ２（２日前の使用熱量の積算値），・・・，Ｑ＿ｄａｙｎ（ｎ日前の使用熱量の積算値）として、所定期間分（例えば過去２週間分）算出する（ステップＳ４２）。
【００３８】
次に、深夜時間帯開始時（例えば２３時）に、目標熱量算出手段２４ｂは、使用熱量算出手段２４ａによって算出された所定期間分（例えば過去２週間分）の１日毎の使用熱量の積算値Ｑ＿ｄａｙｎから、所定期間内（例えば過去２週間内）の１日間の使用熱量の平均値Ｑ＿ａｖｅを算出し、この算出したＱ＿ａｖｅに基づいて式１のように当日に貯湯タンク１に貯める熱量の目標値である沸上げ目標熱量Ｑｏを算出する（ステップＳ４３〜Ｓ４４）。
【００３９】
Ｑｏ＝（Ｑ＿ａｖｅ×放熱係数＋起動熱量）×夜間率・・・式１
【００４０】
ここで、放熱係数とは、沸上げた熱量に対して使用者がお湯を使用するまでの間に放熱することを考慮した値（例えば１．１）となっており、起動熱量とは、昼間時間帯の沸上げを開始する貯湯タンク１内の残湯量から演算されるタンク熱量条件（例えば３５００ｋｃａｌ）となっている。また、夜間率とは、２４時間での使用電力量に対する深夜時間帯での使用電力量の割合（例えば８０％）であり、制御部２４に予め記憶している。
【００４１】
なお、目標熱量算出手段２４ｂは、使用熱量算出手段２４ａによって算出された所定期間分（例えば過去２週間分）の１日毎の使用熱量の積算値Ｑ＿ｄａｙｎから、所定期間内（例えば過去２週間内）の１日間の使用熱量の最大値Ｑ＿ｍａｘを算出し、この算出したＱ＿ｍａｘに基づいて当日に貯湯タンク１に貯める熱量の目標値である沸上げ目標熱量Ｑｏを算出してもよい。
【００４２】
次に、補正熱量算出手段２４ｃは、ステップＳ４１で記憶した予測外気温のうち、例えば翌日の最高気温と、予め設定された所定温度（例えば２５℃）とを比較し（ステップＳ４５）、予測外気温が所定温度より高い場合には、沸上げ目標熱量Ｑｏから所定の熱量（例えば、翌日の使用湯量を４００Ｌと想定している場合は、４００ｋｃａｌ）を減算し、沸上げ補正熱量Ｑｉを算出する（ステップＳ４６）、外気温が所定温度以下の場合には、沸上げ目標熱量Ｑｏを、そのまま沸上げ補正熱量Ｑｉとする（ステップＳ４７）。
【００４３】
次に、制御部２４は、補正熱量算出手段２４ｃによって算出された沸上げ補正熱量Ｑｉに基づいて式２のように沸上げ目標温度Ｔｐを算出する（ステップＳ４８）。
【００４４】
Ｔｐ＝Ｑｉ／（タンク容量−マージン）＋給水温度・・・式２
【００４５】
ここで、タンク容量とは、貯湯タンク１の容量（例えば３７０Ｌ）となっており、マージンとは、貯湯タンク１内の一定量は放熱して給湯に使用できないことを考慮した値（例えば６０Ｌ）となっており、給水温度とは給水温度センサ２３によって検出される給水温度（例えば１０℃）となっている。
【００４６】
次に、制御部２４は、貯湯タンク１の上部から５０Ｌ、１００Ｌ、１５０Ｌの位置に取り付けられた第２〜第４の温度センサ５ｂ〜５ｄ、及び加熱循環回路３の貯湯タンク１下部側に取り付けられた第５の温度センサ５ｅの入力値とによって貯湯タンク１内の残湯熱量Ｑｔを検出しており（ステップＳ４９）、補正熱量算出手段２４ｂによって算出された沸上げ補正熱量Ｑｉと貯湯タンク１内の残湯熱量Ｑｔとに基づいて式３のように夜間時間帯の沸上げ熱量Ｑｎを算出する（ステップＳ５０）。
【００４７】
Ｑｎ＝Ｑｉ−Ｑｔ・・・式３
【００４８】
次に、制御部２４は、夜間時間帯の沸き上げ熱量Ｑｎに基づいて式４のように夜間時間帯の沸き上げ時間Ｔｗを算出し（ステップＳ５１）、式５のように夜間時間帯の沸き上げ開始時刻ｔ−ｓｔａｒｔを算出する（ステップＳ５２）。そして、夜間時間帯の沸き上げ開始時刻ｔ−ｓｔａｒｔを経過するまでは、ステップＳ４９〜ステップＳ５２の処理を繰り返し実行する（ステップＳ５３）。
【００４９】
Ｔｗ＝Ｑｎ／８６０［ｃａｌ／Ｗｈ］／Ｈａｃ［ｋＷ］×６０［分］・・・式４
ｔ−ｓｔａｒｔ＝夜間時間帯終了時刻−Ｔｗ・・・式５
【００５０】
ここで、Ｈａｃとはヒートポンプユニット２における加熱能力（例えば４．５ｋＷ）となっている。
【００５１】
次に、制御部２４は、夜間時間帯の沸き上げ開始時刻ｔ−ｓｔａｒｔを経過すると、ヒートポンプユニット２の加熱動作を開始する（ステップＳ５４）。その後は、貯湯タンク１内の残湯熱量Ｑｔが沸上げ補正熱量Ｑｉ以上になった場合に加熱動作を停止する（ステップＳ５５，Ｓ５６）。
【００５２】
次に、制御部２４は、ステップＳ４１で記憶した予測外気温と所定温度（例えば２５℃）とを比較し（ステップＳ５７）、予測外気温が所定温度より高い場合には、ステップＳ４０で記憶した給湯設定温度よりも低い値（例えば、給湯設定温度４２℃の場合は４１℃）を給湯補正温度として記憶し（ステップＳ５８）、予測外気温が所定温度以下の場合には、給湯設定温度（例えば４２℃）を給湯補正温度として記憶する（ステップＳ５９）。
【００５３】
次に、使用者が蛇口等での給湯や、浴槽への湯張りを行う際に（ステップＳ６０）、ステップＳ５８、又はステップＳ５９で記憶した給湯補正温度に基づいて、蛇口への給湯や、浴槽への湯張りを行う（ステップＳ６１）。
【００５４】
以上のように、本発明の実施の形態２によれば、インターネットの天気予報から取得した予測外気温が所定温度よりも高い場合に、蛇口への給湯や、浴槽への湯張り温度を、給湯温度設定手段によって設定された設定温度よりも低くするようにしているため、他機器から外気温情報を取得する必要が無く、他機器とのネットワーク構築によるコストを抑制し、外気温が所定温度以下の場合でも、蛇口への給湯や、浴槽への湯張り温度を上げることなく、使用者の不快感を減らすと共に、外気温が所定温度よりも高い場合は、蛇口への給湯や、浴槽への湯張り温度を低くすることにより、省エネ性を向上させることができる。
【００５５】
また、インターネットの天気予報により、前日のうちに翌日の予測外気温を取得することができるため、予測外気温に基づいて、翌日の実際の給湯温度（給湯補正温度）を設定温度よりも低くすると判断した場合には、その分、事前の沸上げ量を抑制して、より省エネ効果を得ることができる。
【００５６】
なお、本実施の形態２では、翌日の予測外気温のうち最高気温を利用しているため、省エネ効果が大きくなるが、一方で朝晩など最高気温よりも低い外気温度の環境では、使用者が給湯温度を低いと感じる可能性がある。そこで、例えば利用する予測外気温を最高気温はなく最低気温や平均気温としてもよい。最低気温にすることで、使用者が給湯温度を低いと感じる可能性を低減できる。また、平均気温とすることで、省エネ性と使用者の給湯温度への不満の可能性の低減の両立が可能となる。なお、上記実施の形態２では、深夜時間帯における加熱動作について述べているが、深夜時間帯に限らなくてもよい。
【００５７】
次に、上記実施の形態２のリモコンにおける操作や表示について、図５に基づいて説明する。図５は本発明の実施の形態２を示すリモコンの構成図である。
【００５８】
図５において、リモコン２５は、給湯設定温度を変更する給湯設定温度変更スイッチ２５ａ、給湯補正温度を給湯設定温度よりも低い値にする給湯温度補正状態を解除するための温度補正解除スイッチ２５ｂ、設定内容や機器の状態などを表示するリモコン画面２５ｃとを備えている。
【００５９】
ここで、使用者が給湯設定温度変更スイッチ２５ａを操作すると、リモコン画面２５ｃの給湯温度の数字が変化する。更に、給湯温度補正状態である場合には、給湯温度の数字の横に補正状態であることが分かる表示（例えば図５のような、下矢印表示）を行う。これにより、使用者は給湯設定温度に対して低い温度が供給されていることが貯湯式給湯機の異常や故障ではないということを容易に認知することができる。また、温度補正解除スイッチ２５ｂを操作すれば、補正状態を解除すると共に、給湯温度の数字の横の補正状態であることが分かる表示が消えるようになっている。これにより使用者は、希望するときに温度の補正を解除できるとともに、解除されたことを容易に認知することができる。
【００６０】
また、温度補正解除スイッチ２５ｂの操作により、現在が温度を補正された状態であるものから、その補正状態を解除するというだけでなく、温度補正する制御そのものが機能しないように、温度補正制御の入／切そのものを切り替えられるように構成しても良い。
【００６１】
以上のように、本発明の実施の形態２のリモコン構成によれば、使用者がリモコン２５で設定した給湯設定温度と、実際に給湯される給湯補正温度が異なることが視覚的に容易に認識できるため、使い勝手がよくなると共に、温度が低いなどの問合せを減らすことができる。また、実際に給湯される給湯温度を補正したくない場合には、視覚的に補正状態か否かを判断し、温度補正解除スイッチ２５ｂにより補正状態を解除することができるため、使用者の意図に沿った給湯温度で湯の提供が可能となる。
【００６２】
また、給湯設定温度変更スイッチ２５ａで設定された給湯設定温度と、実際に供給される給湯補正温度との温度差を、使用者が任意に設定可能としても良い。これにより、使用者は、より省エネ効果を得たければ、温度差を大きく設定し、給湯温度が低いと不快に感じる場合は、温度差を小さく設定することができるため、使用者の選択肢が増えて更に使い勝手が良くなる。
【００６３】
また、温度補正解除スイッチ２５ｂの操作により、補正状態を解除した場合に、使用熱量の増加（例えば、補正状態を解除することにより実際に供給される給湯温度が１℃上がった場合、１℃×４００Ｌ＝４００ｋｃａｌ）を想定し、この使用熱量の増加に基づいて貯湯タンク１に追加で貯湯するようヒートポンプユニット２の加熱動作を行うようにしても良い。これにより、使用者が補正状態を解除した場合に、使用熱量が増加することによる湯切れを防ぐことができる。
【００６４】
また、制御部２４は、外気温センサ２７により検知した外気温、又は、インターネットの天気予報から取得した翌日の予測外気温が所定温度よりも高いとき、この外気温と所定温度との差が第一の値（例えば２℃）よりも大きな第二の値（例えば５℃）の場合に、給湯設定温度変更スイッチ２５ａによって設定された給湯設定温度と、実際に供給される給湯補正温度との温度差を、第一の値の場合の温度差よりも大きくする（例えば、第一の値の場合の温度差が１℃であった場合に対して、第二の値の場合の温度差を２℃とする）ようにしても良い。これにより、外気温と所定温度との差が大きいほど、給湯補正温度が低くなるため、より省エネ効果を得られると共に、外気温と所定温度との差が大きいため、使用者が給湯温度が低いと不快に感じることが少なくなる。
【符号の説明】
【００６５】
１  貯湯タンク
２  ヒートポンプユニット
３  加熱循環回路
４  ＨＰ循環ポンプ
５ａ  第１の温度センサ
５ｂ  第２の温度センサ
５ｃ  第３の温度センサ
５ｄ  第４の温度センサ
５ｅ  第５の温度センサ
６  貯湯タンク温度センサ
７  一般給湯側電動混合弁
８  給湯管
９  給水管
１０  混合給湯管
１１  風呂給湯側電動混合弁
１２  風呂側循環回路
１３  電磁弁
１４  風呂循環ポンプ
１５  熱交換器
１６  タンク側循環回路
１７  タンク循環ポンプ
１８  混合風呂管
１９  給湯量流量センサ
２０  給湯量温度センサ
２１  風呂用流量センサ
２２  風呂用温度センサ
２３  給水温度センサ
２４  制御部
２４ａ  使用熱量算出手段
２４ｂ  目標熱量算出手段
２４ｃ  補正熱量算出手段
２５  リモコン
２６  貯湯ユニット
２７  外気温センサ
【図１】
2020112352.tif 000003
【図２】
2020112352.tif 000004
【図３】
2020112352.tif 000005
【図４】
2020112352.tif 000006
【図５】
2020112352.tif 000007